(57)【要約】      （修正有）【課題】多色併合、造型の結合辺を持つ置物ボックスを提供する。【解決手段】主に第一プレート１０、第二プレート１０’、底板３０及びフレーム４０など要素から形成される。第一プレートの両側に、それぞれ結合辺１４を設ける。結合辺の両端はそれぞれ第一プレートの上端１１１、底端１１２に接続される。第二プレートは第一プレートとの異なる色彩を持つ。第二プレートの両側に、それぞれ第二プレートの上端１１１’、底端１１２’に接続される結合辺１４’を設ける。二つの結合辺は第一プレートの二つの結合辺と結合することができる。底板の周縁には、いくつの支持部を設置し、二枚のプレートの底端に結合する。フレームは二枚のプレートの上端に結合される。【選択図】図１
0003127348.tif 000002
【実用新案登録請求の範囲】
【請求項１】
多色併合の置物ボックス(box)において、主に次の要素から形成されており、
第一プレート(plate)の両側に、それぞれ結合辺を設け、結合辺の両端はそれぞれ第一プレート(plate)の上端、底端に接続されており、
第二プレート(plate)は第一プレート(plate)との異なる色彩を持ち、第二プレート(plate)の両側に、それぞれ第二プレート(plate)の上端、底端に接続される結合辺を設け、二つの結合辺は第一プレート(plate)の二つの結合辺と結合することができ、
底板の周縁には、いくつの支持部を設置し、二枚のプレート(plate)の底端に結合し、そうすると、多色併合、造型の結合辺を持つ置物ボックス(box)の結構が得られることをとくちょうとする多色併合の置物ボックス(box)。
【請求項２】
プレート(plate)はメーンプレート(main plate)、メーンプレート(plate)の両側のサブプレート(sub plate)を具有し、結合辺はサブ  プレート(sub
plate)にて、メーンプレート(main plate)の遠く離れる片側に形成されることを特徴とする請求項1記載の多色併合の置物ボックス(box)。
【請求項３】
メーンプレート(main plate)とサブプレート(sub plate)との間は折り目を経由して区画されることを特徴とする請求項２記載の多色併合の置物ボックス(box)。
【請求項４】
メーンプレート(main plate)の両側における折り目はある挟み角度を保持することを特徴とする請求項３記載の多色併合の置物ボックス(box)。
【請求項５】
プレート(plate)の結合辺は波浪形状やジグザグ（zigzag)形状や直線形状や斜線形状や弧線形状や他の幾何図形を採用することを特徴とする請求項1又は２記載の多色併合の置物ボックス(box)。
【請求項６】
プレート(plate)の両側における結合辺は相互に合わせる形状であることを特徴とする請求項1又は２記載の多色併合の置物ボックス(box)。
【請求項７】
プレート(plate)の両側における結合辺は相互に対称する形状であることを特徴とする請求項1又は２記載の多色併合の置物ボックス(box)。
【請求項８】
プレート(plate)の上端から、収容フレーム(frame)は延伸され、収容フレーム(frame)はフレーム(frame)を収容することを特徴とする請求項1又は２記載の多色併合の置物ボックス(box)。
【請求項９】
プレート(plate)収容フレーム(frame)から、さらに、逆ロック(lock)部は延伸され、逆ロック(lock)部は転換して折り曲げられるように、プレート(plate)の内側へ向かって、高周波方式で、プレート(plate)に粘着して、型を定め、それで、フレーム(frame)を収容フレーム(frame)に付けることを特徴とする請求項8記載の多色併合の置物ボックス(box)。
【請求項１０】
底板、フレーム(frame)は四辺形、五辺形、六辺形など多辺形の構造を採用することを特徴とする請求項９記載の多色併合の置物ボックス(box)。
【考案の詳細な説明】
【技術分野】
【０００１】
本考案は置物ボックス(box)に係り、特に、多色併合、異なる造型の結合辺を持つという置物ボックス(box)に関するものである。
【背景技術】
【０００２】
従来から、伝統の置物ボックス(box)又は置物箱などの構造は一体化に射出するように成形されるものである。成形後に、置物ボックス(box)又は置物箱の外表面に、漆を噴出し、又は図形、色彩を粘着する。それで、置物ボックス(box)又は置物箱は艶かしく美しい又は目立つ外観を持ち、消費者の購買欲望を刺激させる。
【考案の開示】
【考案が解決しようとする課題】
【０００３】
しかし、従来から、既知の結構は実用的に見たら、沢山な欠点がある。置物ボックス(box)又は置物箱の外表面に、漆を噴出し、又は図形、色彩を粘着する方式ならば、他の物と直接に接触するので、いつも削り傷められて損耗される。日に晒すことなど気候の影響で、いつも老化、褪色してある。その結果、生産のときにコストを投入しても、長い寿命が得なかった。
【０００４】
そして、業者は漆を噴出し、又は図形、色彩を粘着したあとで、さらに、透明の保護膜を覆って、図形又は色彩の寿命を延長させる。残念ながら、そんな製造のプロセス(process)は生産のコスト(cost)を増加するばかりでなく、透明の保護膜と物ボックス(box)又は置物箱との膨張係数が異なるので、いつも浮き上がって脱落するという問題を招く。破損したら、もっと醜いんだと分かる。それは産業の利用にとって、実用ではなくて、改良しなければならない。
【０００５】
要するに、本案により、多色併合の置物ボックス(box)の解決したい技術問題は次のとおりである。既知の結構は置物ボックス(box)又は置物箱の外表面に、漆を噴出し、又は図形、色彩を粘着する。他の物と直接に接触するので、いつも削り傷められて損耗される。日に晒すことなど気候の影響で、いつも老化、褪色してある。その結果、生産のときにコスト(cost)を投入しても、長い寿命が得なかった。業者は漆を噴出し、又は図形、色彩を粘着したあとで、さらに、透明の保護膜を覆って、図形又は色彩の寿命を延長させる。どころが、そんな製造のプロセスは生産のコスト(cost)を増加するばかりでなく、透明の保護膜と物ボックス(box)又は置物箱との膨張係数が異なるので、いつも浮き上がって脱落するという問題を招く。破損したら、もっと醜いんだと分かる。ゆえに、それらの欠点を改進しなければならない。
【課題を解決するための手段】
【０００６】
以上の問題を解決するために、本案の多色併合の置物ボックス(box)は主に、第一プレート(plate)、第二プレート(plate)、底板及びフレーム(frame)など要素から形成される。第一プレート(plate)の両側に、それぞれ結合辺を設ける。結合辺の両端はそれぞれ第一プレート(plate)の上端、底端に接続される。第二プレート(plate)は第一プレート(plate)との異なる色彩を持つ。第二プレート(plate)の両側に、それぞれ第二プレート(plate)の上端、底端に接続される結合辺を設ける。二つの結合辺は第一プレート(plate)の二つの結合辺と結合することができる。底板の周縁には、いくつの支持部を設置し、二枚のプレート(plate)の底端に結合する。フレーム(frame)は二枚のプレート(plate)の上端に結合される。そうすると、多色併合、造型の結合辺を持つ置物ボックス(box)の結構が得られる。
【考案を実施するための最良の形態】
【０００７】
本案の目的、特徴を遂げて、採用される技術手段及び効果などをご了解 なさるために、以下、さらに具体的な実施例に図面をあわせて詳しく説明してみよう。
【０００８】
まずは図１乃至図３を御参照して下さい。本考案は主に、第一プレート(plate)１０、異なる色彩を持ち、第一プレート(plate)１０に結合する第二プレート(plate)１０’、二枚のプレート(plate)１０、１０’の底端に設ける底板３０及び二枚のプレート(plate)１０、１０’の上端に設けるフレーム(frame)４０など要素から形成される。
【０００９】
第一プレート(plate)１０はメーンプレート(main plate)１１、両側に配置するサブプレート(sub plate)１２を持つ。メーンプレート(main plate)１１とサブプレート(sub plate)１２との間は折り目１３を経由して区画される。折り目１３で、メーンプレート(main
plate)１１とサブプレート(sub plate)１２との間は利便に、適当な角度まで転換して折り曲げられる。例えば、底板３０が四辺形ならば、９０度まで折り曲げられる。底板３０が六辺形ならば、１２０度まで折り曲げられる。そのように、類推できる。
【００１０】
メーンプレート(main plate)１１の両側における折り目１３はある挟み角度を保持するので、メーンプレート(main
plate)１１の上端１１１は底端１１２より広い。勿論、二つの折り目１３を相互に平行すればよい。それで、メーンプレート(main plate)１１の上端１１１と底端１１２は同じ広さである。
【００１１】
メーンプレート(main plate)１１の上端から、収容フレーム(frame)１１３及び逆ロック(lock)部１１４は延伸される。収容フレーム(frame)１１３は転換して折り曲げられるように、第一プレート(plate)１０の内側へ向かって、ほぼ水平状となる。逆ロック(lock)部１１４は転換して折り曲げられるように、メーンプレート(main plate)１１の内側へ向かって、高周波方式で、メーンプレート(main plate)１１に粘着して、型を定める。
【００１２】
サブプレート(sub plate)１２において、メーンプレート(main plate)１１の遠く離れる片側に、結合辺１４は形成される。結合辺１４の上下両端はそれぞれサブプレート(sub
plate)１２の上端１２１、底端１２２に接続される。本実施例として、結合辺１４は波浪の形状を採用する。それで、第一プレート(plate)１０の両側における結合辺１４はそれぞれ相互に対称する波浪の形状になる。
【００１３】
サブプレート(sub plate)１２の上端１２１から、収容フレーム(frame)１２３及び逆ロック(lock)部１２４は延伸される。収容フレーム(frame)１２３は転換して折り曲げられるように、第一プレート(plate)１０の内側へ向かって、ほぼ水平状となる。逆ロック(lock)部１２４は転換して折り曲げられるように、サブプレート(sub plate)１２の内側へ向かって、高周波方式で、メーンプレート(sub  plate)１２に粘着して、型を定める。
【００１４】
第二プレート(plate)１０’の構造は第一プレート(plate)１０と同じだから、その説明を省略する。その主な差異は第二プレート(plate)１０’の実施が第一プレート(plate)１０の異なる色彩を採用する。第二プレート(plate)１０’の結合辺１４’は第一プレート(plate)１０の結合辺１４に結合する。その結合方式は高周波の粘着を用いる。また、第二プレート(plate)１０’の両側における結合辺１４’もそれぞれ相互に対称する波浪の形状になる。
【００１５】
底板３０の周囲側から、いくつの支持部３１は延伸される。それら支持部３１は二つのプレート(plate)１０、１０’の底端１１２、１２２、１１２’、１２２’に結合される。それも高周波の粘着を用いる。底板３０はニーズ(needs)により、異なる形状を選択する。例えば、四辺形、五辺形、六辺形など多辺形が挙げられる。さらに、異なる数量のプレート(plate)１０，１０’に合わせて組成される。
【００１６】
フレーム(frame)４０は二枚のプレート(plate)１０、１０’の収容フレーム(frame)１１３、１２３、１１３’、１２３’に設置され、逆ロック(lock)部１１４、１２４、１１４’、１２４’の位置制限を経由して、収容フレーム(frame)１１３、１２３、１１３’、１２３’に固定される。フレーム(frame)４０は金属材質で、底板３０との同じ辺数の多辺形を採用してもよい。
【００１７】
図４を御参照して下さい。それは本考案の第二実施例である。本例はほぼ前掲の実施例と同じである。その差異はプレート(plate)２０の両側における結合辺２４、２４’の設計が異なる。プレート(plate)２０の両側における結合辺２４，２４’は相互に合わせる形状であるが、第一実施例が相互に対称した形状である。本例のプレート(plate)２０の両側における結合辺２４、２４’は相互に合わせる形状だから、結合、アセンブリにとって、有利だけでなく、コスト(cost)も省かれて、産業の応用に相当に合う。
【００１８】
図５を御参照して下さい。それは本案の第三実施例である。本例はほぼ前掲の実施例と同じである。その異なる箇所はプレート(plate)５０の両側における結合辺５４、５４’は異なる設計の形状を採用する。プレート(plate)５０の両側における結合辺５４、５４’は相互に合わせるジグザグ(zigzag)形状を用いる。勿論、相互に合わせるように、異なる形状を採用してもよい。例えば、直線形状、斜線形状、弧線形状又は他の幾何図形などが挙げられて、構造の変化を多様化させる。
【図面の簡単な説明】
【００１９】
【図１】本考案の立体外観図である。
【図２】本考案の立体分解図である。
【図３】本考案の構造を展開する説明図である。
【図４】本考案の第二実施例の説明図である。
【図５】本考案の第三実施例の説明図である。
【符号の説明】
【００２０】
１０    第一プレート(plate)
１１    メーン  プレート(main plate)
１１１  上端
１１２  底端
１１３  収容フレーム(frame)
１１４  逆ロック(lock)部
１２    サブプレート(sub plate)
１２１  上端
１２２  底端
１２３  収容フレーム(frame)
１２４  逆ロック(lock)部
１３    折り目
１４    結合辺
１０’  第二プレート(plate)
１１’  メーンプレート(main plate)
１１１’上端
１１２’底端
１１３’収容フレーム(frame)
１１４’逆ロック(lock)部
１２’  サブプレート(sub  plate)
１２１’上端’
１２２’底端 
１２３’収容フレーム(frame)
１２４’逆ロック(lock)部
１３’  折り目
１４’  結合辺
２０    プレート(plate)
２１    メーンプレート(main plate)
２１１  上端
２１２  底端
２１３  収容フレーム(frame)
２１４  逆ロック(lock)部
２２    サブプレート(sub plate)
２２１  上端
２２２  底端
２２３  収容フレーム(frame)
２２４  逆ロック(lock)部
２３    折り目
２４    結合辺
２４’  結合辺
３０    底板
３１    支持部
４０    フレーム(frame)
５０    プレート(plate)
５１    メーンプレート(main plate)
５１１  上端
５１２  底端
５１３  収容フレーム(frame)
５１４  逆ロック(lock)部
５２    サブプレート(sub plate)
５２１  上端
５２２  底端
５２３  収容フレーム(frame)
５２４  逆ロック(lock)部
５３    折り目
５４    結合辺
５４’  結合辺
【図１】
0003127348.tif 000003
【図２】
0003127348.tif 000004
【図３】
0003127348.tif 000005
【図４】
0003127348.tif 000006
【図５】
0003127348.tif 000007